(57)【要約】【課題】シャッタ機構への不正操作に対してコイン状部材の不正な払い出しを迅速かつ確実に防止する。【解決手段】アーム部材５３（往復動部材）はメダルＭ（コイン状部材）が払出口から払い出される際に通過する通路を塞ぐ第１の位置と、前記通路を全開する第２の位置との間で往復動可能で、通常第１の位置に付勢され、メダルＭが通過する際に当該メダルにより押されて第２の位置へ移動し、当該メダルの通過後に第１の位置へ復帰する。シャッタ機構５８は、払出口を通常閉鎖するように付勢され、払い出されるメダルによる押圧力により開放される扉部５８ａと、シャッタ連動ストッパ部５８ｃ（可動範囲制限部）とを有する。シャッタ連動ストッパ部５８ｃは、扉部５８ａが強制的に開放された場合、アーム部材５３が第１の位置から第２の位置へ移動しようとするとき、アーム部材５３の可動範囲を制限する。【選択図】図７
2018055592.tif 000002
【特許請求の範囲】
【請求項１】
コイン状部材を１枚ずつ払出口から払い出すコイン状部材払出装置であって、
コイン状部材を貯蔵した貯蔵容器内の複数のコイン状部材を順次前記払出口へ移動させる移動機構と、
コイン状部材が前記払出口から払い出される際に通過する通路を塞ぐ第１の位置と、前記通路を全開する第２の位置との間で往復動可能で、通常第１の位置に付勢され、コイン状部材が通過する際に当該コイン状部材により押されて第２の位置へ移動し、当該コイン状部材の通過後に第１の位置へ復帰する往復動部材と、
前記払出口を通常閉鎖するように付勢され、払い出されるコイン状部材による押圧力により開放される扉部を有するシャッタ機構とを備え、
前記シャッタ機構は、前記扉部が強制的に開放された場合、前記往復動部材の可動範囲を制限する可動範囲制限部を有することを特徴とする
コイン状部材払出装置。
【請求項２】
前記シャッタ機構の前記扉部は、ほぼ長方形状を有し、その長辺近傍にある回転軸を中心に回転可能に支持されていることを特徴とする請求項１に記載のコイン状部材払出装置。
【請求項３】
前記往復動部材は、前記往復動部材の第１の位置と第２の位置との間の往復動に連動して往復動する爪部を有し、
前記シャッタ機構の前記可動範囲制限部は、前記扉部の開閉と連動して移動するシャッタ連動ストッパ部を有し、
前記シャッタ連動ストッパ部は、前記扉部が閉鎖状態にあるとき、前記爪部の可動範囲を制限せず、前記扉部が強制的に開放された場合、前記往復動部材がその第１の位置から第２の位置へ移動しようとするとき、前記シャッタ連動ストッパ部が前記爪部の移動経路内に進入することにより前記往復動部材の可動範囲を制限する請求項２に記載のコイン状部材払出装置。
【請求項４】
前記コイン状部材により押されて前記往復動部材が第２の位置へ移動したとき、前記爪部が前記シャッタ連動ストッパ部の可動範囲を制限することにより、前記扉部の開放動作を阻止する請求項３に記載のコイン状部材払出装置。
【請求項５】
前記シャッタ機構の前記扉部は、一端を回転軸に支持されたシャッタアーム部材に連結され、前記シャッタアーム部材の移動により前記払出口を開閉し、前記シャッタアーム部材は前記扉部を通常閉鎖状態に維持するように付勢されていることを特徴とする請求項１に記載のコイン状部材払出装置。
【請求項６】
前記扉部の前記コイン状部材が当接する内壁は、コイン状部材により押圧されたとき前記扉部が当該付勢力に抗して開放されるよう傾斜案内面が形成されている請求項５に記載のコイン状部材払出装置。
【請求項７】
前記往復動部材は、前記往復動部材の第１の位置と第２の位置との間の往復動に連動して往復動するレバー部を有し、
前記シャッタ機構の前記可動範囲制限部は、前記扉部の開閉と連動して移動するシャッタ連動ストッパ部を有し、
前記シャッタ連動ストッパ部は、前記扉部が閉鎖状態にあるとき、前記レバー部の可動範囲を制限せず、前記扉部が強制的に開放された場合、前記往復動部材がその第１の位置から第２の位置へ移動しようとするとき、その中間の位置で前記シャッタ連動ストッパ部が前記レバー部の移動経路内へ進入することにより前記往復動部材の可動範囲を制限する請求項６に記載のコイン状部材払出装置。
【請求項８】
前記コイン状部材により押されて前記往復動部材が第２の位置へ移動したとき、前記レバー部が前記シャッタ連動ストッパ部の可動範囲を制限することにより、前記扉部の開放動作を阻止する請求項７に記載のコイン状部材払出装置。
【発明の詳細な説明】
【技術分野】
【０００１】
本発明は、コイン状部材を払い出すコイン状部材払出装置に関し、特に、コイン状部材の払出口より差し込まれた不正操作部材等によってコイン状部材の通過検出部が操作されて不正な払出動作が行われるのを防止することができるコイン状部材払出装置に関する。
【背景技術】
【０００２】
コイン状部材払出装置は、通常、スロットマシン、パチスロ機等の遊技機で使用されるメダル、コイン等のコイン状部材を貯蔵した貯蔵容器に対して複数のコイン状部材を保持して回転するロータを用いて、コイン状部材を１枚ずつ払出口から払い出す動作を行う。
【０００３】
このようなコイン状部材払出装置においては、従来、その異常動作や不正操作の防止および検出に関して、種々の提案がなされている。
【０００４】
特許文献１には、コインの繰出口（払出口）の一側に配置され、繰出口の間隔をコインの直径より小さくして繰出口に繰り出されるコインに接触する閉鎖位置と繰出口に繰り出されるコインに押されて開放する開放位置との間で移動可能でかつ閉鎖位置へ向けて付勢された移動部材と、前記繰出口からのコインの繰り出しを許容する許容位置とコインの繰り出しを阻止する阻止位置との間で移動可能に支持された阻止部材と、前記移動部材の閉鎖位置で阻止部材を許容位置に、移動部材の開放位置で阻止部材を阻止位置に連動して移動させる連動機構とを具備したコイン繰出装置が示されている。この構成では、移動部材が閉鎖位置にあるときには連動機構の作用により阻止部材が繰出口からのコインの繰り出しを許容する許容位置にあり、移動部材の開放位置への移動に伴って連動機構の作用により阻止部材が繰出口からのコインの繰り出しを阻止する阻止位置へ移動される。そして、正常な繰出動作であれば、コインが弾き出された後に、移動部材が閉鎖位置に移動する動作に連動して阻止部材が許容位置に移動し、繰出口からの次のコインの繰り出しが可能となる。また、不正行為などにより移動部材が開放位置に保持された場合には、阻止部材が阻止位置に保持されるため、繰出口からの次のコインの繰り出しが阻止される。
【０００５】
特許文献２には、遊技機のメダル払出ホッパ装置に関して、不正行為や装置の故障を発見及び報知するとともに、不正なメダルの払い出しを防止するために、ホッパ装置に対する駆動信号を監視し、駆動信号をホッパ装置に対する駆動命令と比較し、両者が一致しないときその継続時間を計測し、当該継続時間が所定時間を超えたとき異常状態と判定する技術が示されている。すなわち、ホッパ装置に対して駆動命令が出されていないにもかかわらず、ホッパ装置に対する駆動信号が出力されているときに、不正行為がなされていると判定し、ホッパ装置を直ちに停止させることによりメダルの払い出しを禁止するようにしている。
【０００６】
特許文献３には、機器の前面から板状部材や金属棒状部材等を差し込み、送出口を通してコイン状部材送出装置内が悪戯され、送出口の奥側にあるコイン状部材の通過検出部が誤作動状態に操作されて、コイン状部材の不要な送出動作による騙し取りが行なわれることを防止すると共に、コイン状部材の正規の送出動作が確保できる技術を提供するために、コイン状部材送出装置の送出部に、通過検出部よりも出口側の位置に突出して出口側を塞ぎ、正規に通過するコイン状部材によって退避するように動作する可動カバーを設けた構成が示されている。
【０００７】
特許文献４には、同様の機器において、不正操作部材による不正操作によって、可動カバーが送出通路から退避した状態が継続した場合、検出スイッチがこれを検出して、不正作動であると判断するために、コイン状部材送出装置の送出部に、通過検出部よりも出口側に突出して出口側を塞ぎ、正規に通過するコイン状部材によって退避する可動カバーと、この可動カバーの退避状態を検出する検出スイッチを設け、この検出スイッチが所定時間以上継続作動したとき、コイン状部材送出装置の作動を停止する制御を行うことが示されている。
【０００８】
特許文献５には、払出口が閉じている場合におけるコイン状部材の詰まり等の弊害を回避可能とするため、メダルを一枚ずつ分離させて円形の循環路に沿って循環させる払い出しロータと、循環路からメダルを外部に払い出し可能なメダル払出口と、メダル払出口を開閉するシャッタ機構と、メダル払出口が開くと、循環路に沿って循環するメダルをメダル払出口に向けてガイド可能なガイド位置に移動し、メダル払出口が閉じると、退避位置に移動するガイドピンとを有するメダル払い出し装置が開示されている。シャッタ機構の開閉状態を直接に検出するシャッタ検出器を設け、払出信号が出されていないにも拘わらずシャッタ機構が開いたことを検出した場合には、不正操作によってシャッタ機構が開けられたと判断できる不正検出部についても言及されている。
【先行技術文献】
【特許文献】
【０００９】
【特許文献１】特開2003-281588号公報
【特許文献２】特開2004-173876号公報
【特許文献３】特許第5010866号公報
【特許文献４】特許第5016877号公報
【特許文献５】特開2014-161692号公報
【発明の概要】
【発明が解決しようとする課題】
【００１０】
上記特許文献１に記載の従来技術では、不正行為などにより移動部材が開放位置に保持された際にはコインの繰り出しを阻止できるが、比較的複雑な構成を有する阻止部材および連動部材を必要とする。また、コインの繰出口にシャッタ機構が設けられた場合に、移動部材の開放に至らないまでもシャッタ機構が不正に開放されただけでは予防的にコインの払い出しを阻止することができない。
【００１１】
上記特許文献２に記載の従来技術では、ホッパ装置に対する駆動信号とホッパ装置に対する駆動命令とが一致しないときその継続時間を計測し、当該継続時間が所定時間を超えたとき異常状態と判定する構成においては、「所定時間」の設定により判定結果が異なるため、必ずしも所定時間の設定が容易でなく、払出防止の即時性に改善の余地があり、また判定結果の安定性、確実性に懸念がある。
【００１２】
上記特許文献３に記載の従来技術では、可動カバーの送出部に突出する部分の上端が、送出部の上壁中に侵入した状態にバネ付勢されているため、遊技機の前面の受け皿から差し込まれた板状部材や金属棒状部材等によって防護壁の上端を下方へ押して、送出部から防護壁を退避させる操作ができないことが期待される。しかし、万一予想外の手法で可動カバーが開放された場合には装置内部に不正な操作が行われてしまうおそれがある。
【００１３】
上記特許文献４に記載の従来技術では、上記特許文献２と同様、「所定時間」に伴う払出防止の即時性、不安定性、不確実性の点で改善の余地がある。
【００１４】
上記特許文献５に記載のシャッタ機構は、シャッタ板と、このシャッタ板を移動する駆動機構としてのプランジャーと、このプランジャーの上下方向の移動をガイドピンに伝達する連動機構とを備える比較的複雑な構成を必要とし、かつ、シャッタ機構の開閉状態を直接検出するために専用の検出器（フォトカプラまたはメカニカルスイッチ等）を必要とする問題がある。
【００１５】
本発明はこのような背景においてなされたものであり、その目的は、シャッタ機構への不正操作に対してコイン状部材の不正な払い出しを迅速かつ確実に防止することができる比較的簡単な構成のコイン状部材払出装置を提供することにある。
【課題を解決するための手段】
【００１６】
本発明によるコイン状部材払出装置は、コイン状部材を１枚ずつ払出口から払い出すコイン状部材払出装置であって、コイン状部材を貯蔵した貯蔵容器内の複数のコイン状部材を順次前記払出口へ移動させる移動機構と、コイン状部材が前記払出口から払い出される際に通過する通路を塞ぐ第１の位置と、前記通路を全開する第２の位置との間で往復動可能で、通常第１の位置に付勢され、コイン状部材が通過する際に当該コイン状部材により押されて第２の位置へ移動し、当該コイン状部材の通過後に第１の位置へ復帰する往復動部材と、前記払出口を通常閉鎖するように付勢され、払い出されるコイン状部材による押圧力により開放される扉部を有するシャッタ機構とを備え、前記シャッタ機構は、前記扉部が強制的に開放された場合、前記往復動部材の可動範囲を制限する可動範囲制限部を有することを特徴とする。
【００１７】
移動機構が、貯蔵容器内の複数のコイン状部材を順次前記払出口へ移動させる際に、往復動部材は、コイン状部材の通路を塞ぐ第１の位置と、開放する第２の位置との間で往復動可能で、通常第１の位置に付勢されており、コイン状部材が通過する際に当該コイン状部材により押されて第２の位置へ移動し、当該コイン状部材の通過後に第１の位置へ復帰する動作を繰り返すことにより、コイン状部材を１枚ずつ払出口から払い出すことができる。シャッタ機構は、前記払出口を通常閉鎖するように付勢された扉部が強制的に開放された場合、その可動範囲制限部が往復動部材の可動範囲を制限する。これにより、不正操作により強制的に扉部が開放されたとき、往復動部材の第２の位置への移動が阻止され、コイン状部材の不正な払出が防止される。
【００１８】
本発明の一実施形態として、前記往復動部材は、前記往復動部材の第１の位置と第２の位置との間の往復動に連動して往復動する爪部を有し、前記シャッタ機構の前記可動範囲制限部は、前記扉部の開閉と連動して移動するシャッタ連動ストッパ部を有する。この実施形態では、前記シャッタ連動ストッパ部は、前記扉部が閉鎖状態にあるとき、前記爪部の可動範囲を制限せず、前記扉部が強制的に開放された場合、前記往復動部材がその第１の位置から第２の位置へ移動しようとするとき、前記シャッタ連動ストッパ部が前記爪部の移動経路内に進入することにより前記往復動部材の可動範囲を制限する。これによりコイン状部材が払出口への通路を通過できず、不正な払出が防止される。
【００１９】
また、この実施形態では、前記コイン状部材により押されて前記往復動部材が第２の位置へ移動したとき、前記爪部が前記シャッタ連動ストッパ部の可動範囲を制限することにより、前記扉部の開放動作を阻止することができる。これにより、往復動部材が第２の位置にあるときに扉部を閉鎖状態にロックすることができる。
【００２０】
本発明の第２の実施形態として、シャッタ機構の前記扉部は、一端を回転軸に支持されたシャッタアーム部材に連結され、前記シャッタアーム部材の移動により前記払出口を開閉し、前記シャッタアーム部材は前記扉部を通常閉鎖状態に維持するように付勢されている。この実施形態では、前記扉部の前記コイン状部材が当接する内壁は、コイン状部材により押圧されたとき前記扉部が当該付勢力に抗して開放されるよう傾斜案内面が形成されていることが好ましい。
【００２１】
この第２の実施形態では、前記往復動部材は、前記往復動部材の第１の位置と第２の位置との間の往復動に連動して往復動するレバー部を有し、前記シャッタ機構の前記可動範囲制限部は、前記扉部の開閉と連動して移動するシャッタ連動ストッパ部を有してもよい。このシャッタ連動ストッパ部は、前記扉部が閉鎖状態にあるとき、前記レバー部の可動範囲を制限せず、前記扉部が強制的に開放された場合、前記往復動部材がその第１の位置から第２の位置へ移動しようとするとき、その中間の位置で前記シャッタ連動ストッパ部が前記レバー部の移動経路内へ進入することにより前記往復動部材の可動範囲を制限する。これによりコイン状部材が払出口への通路を通過できず、不正な払出が防止される。
【００２２】
第２の実施形態において、さらに、前記コイン状部材により押されて前記往復動部材が第２の位置へ移動したとき、前記レバー部が前記シャッタ連動ストッパ部の可動範囲を制限することにより、前記扉部の開放動作を阻止することができる。これにより、往復動部材が第２の位置にあるときに扉部を閉鎖状態にロックすることができる。
【発明の効果】
【００２３】
本発明によるコイン状部材払出装置によれば、比較的簡単な構成で、シャッタ機構に対する不正操作が発生した場合、直ちにかつ確実にメダルの払出動作を機械的に阻止することが可能となる。
【図面の簡単な説明】
【００２４】
【図１】本発明の実施形態によるコイン状部材払出装置の外観を示す斜視図および正面図である。
【図２】図１に示したコイン状部材払出装置のバケットと払出装置本体部とを上下に分離して示した斜視図である。
【図３】図２の払出装置本体部の構成要素（部品）を分解して示した分解斜視図である。
【図４】本発明の実施形態におけるメダルの通常の払出動作を説明するための図である。
【図５】本発明の実施形態におけるメダルの通常の払出動作を説明するための図である。
【図６】本発明の実施形態におけるメダルの通常の払出動作を説明するための図である。
【図７】本発明の実施形態におけるシャッタ機構に対する不正操作時のコイン状部材払出装置の動作を説明するための図である。
【図８】本発明の実施形態における第１および第２のセンサ部のＯＮ，ＯＦＦと、シャッタ機構の開閉との可能な組み合わせの５通りの状態を表形式にまとめて示した図である。
【図９】機能部の変形例と、その正常動作時の状態遷移を示した図である。
【図１０】図９に示した機能部の変形例と、その正常動作時の後続の状態遷移を示した図である。
【図１１】図９に示した機能部の変形例と、その不正操作時の状態遷移を示した図である。
【図１２】本発明の第２の実施形態によるコイン状部材払出装置の通常動作時の時系列の平面図と、それらに対応する状態の機能部の斜視図である。
【図１３】図１２に示したコイン状部材払出装置の通常動作時の後続の時系列の平面図と、それらに対応する状態の機能部の斜視図である。
【図１４】第２の実施形態によるコイン状部材払出装置の不正操作時の時系列の平面図と、それらに対応する状態の機能部の斜視図、およびコイン状部材払出装置の概略のＡ−Ａ断面図である。
【図１５】本発明の第１および第２の実施形態におけるコイン状部材払出装置用の制御装置の概略構成を示すブロック図である。
【図１６】図１５に示した制御部の実行するコンピュータプログラムにより実現される処理の概略手順を表したフローチャートである。
【発明を実施するための形態】
【００２５】
以下、本発明の実施形態について図面を参照しながら詳細に説明する。
【００２６】
（第１の実施形態の構成）
図１（ａ）（ｂ）は、それぞれ、本実施形態によるコイン状部材払出装置１００の外観を示す斜視図および正面図である。
【００２７】
このコイン状部材払出装置１００は、スロットマシン、パチスロ機等の遊技機で使用されるメダル、コイン等のコイン状部材を貯蔵する貯蔵容器であるバケット（またはホッパ）１０と、このバケット１０の下に配置され、バケット１０からその円形開口１５を介して供給される複数のコイン状部材を保持して回転するロータ３０を用いて、コイン状部材を１枚ずつ払出口２２から払い出す動作を行う払出装置本体部２０とにより構成される。以下、コイン状部材の一例としてメダルを例に説明する。バケット１０の側部には、バケット１０内がメダルで満杯状態になると、余分なメダルを外部の回収ボックス（図示せず）へ収納するためのオーバーフロー通路１３が開口している。
【００２８】
図２は、図１に示したコイン状部材払出装置１００のバケット１０と払出装置本体部２０とを上下に分離して示した斜視図である。払出装置本体部２０の上面には、後述するロータ３０が見えている。
【００２９】
図３に、ロータ３０を含む、払出装置本体部２０の構成要素（部品）を分解して示す。前方へ傾斜した四角い上面開口を有する筐体２１の開口部に、メダル通路部材４０がネジ止め等の固定手段により固定配置される。メダル通路部材４０のほぼ円形の凹部４６には円盤状のロータ３０が回転可能に配置される。ほぼ円形の凹部４６は、その円周の一部（図の左上側）で１枚のメダルが通過できるサイズのメダル通路４３を経て左側部から外部へ解放されている。メダル通路４３の手前側には払い出されるメダルを払出口へ案内するメダルガイド部４４が形成されている。また、メダル通路４３の奥側には円弧状の透孔４２が開口している。
【００３０】
メダル通路部材４０の中心部にはシャフト孔４５が設けられ、メダル通路部材４０の背後からモータ６０のシャフト６１が貫通し、このシャフト６１がロータ３０の裏側の中心部に嵌合する。これにより、モータ６０の回転駆動力がロータ３０に伝達され、ロータ３０が回転する。図の例ではロータ３０は時計方向に回転する。
【００３１】
ロータ３０には、その中心の周囲に一定角度間隔でメダルを収容するほぼ円形の開口３２が複数個（図の例では６個）が設けられている。ロータ３０は上下二重構造となっており、ロータ３０の下側部材は後述する図４（ａ）等に示すように、開口３２に対応する開口が円周側部の回転方向下流側に流れるように開口している。
【００３２】
メダル通路部材４０のメダル通路４３の背後には、本実施形態における主要な機能を実現する要素を含む機能ボックス５０が配置される。
【００３３】
図３の左側には、機能ボックス５０の内部の部品を分解して示している。機能ボックス５０は筐体５１とその上面開口を覆うカバー部５２で構成される内部空間内に、シャッタ機構５８と、アーム部材５３と、このアーム部材５３の現在の位置を検出する位置検出手段としての第１および第２のセンサ部５６，５７と、コイルバネ５９を有している。
【００３４】
アーム部材５３は本発明における往復動部材を構成する要素である。アーム部材５３の先端に設けられた可動ガイドローラ５３ｄは、カバー部５２に設けられた円弧状の透孔５２ａおよびメダル通路部材４０の透孔４２を貫通して、メダル通路部材４０の上部へ露出し、コイルバネ５９の付勢力を得て、払出対象のメダルＭの払出動作を案内する。
【００３５】
アーム部材５３は、より具体的には、メダルＭが払出口から払い出される際に通過する通路を塞ぐ第１の位置と、当該通路を全開する第２の位置との間で往復動可能で、この例では引っ張りバネとしてのコイルバネ５９により通常第１の位置（待機位置）に付勢され、メダルＭが通過する際に当該メダルＭにより押されて第２の位置へ移動し、当該メダルＭの通過後に第１の位置へ復帰するよう機能する。
【００３６】
シャッタ機構５８はその扉部５８ａを筐体５１の側部の切欠部５１ａに臨ませて配置され、カバー部５２の側部の切欠部５２ｂを貫通して上部へ露出し、扉部５８ａが払出口２２を覆うように配置される。シャッタ機構５８の扉部５８ａは、払出口２２を通常閉鎖するように付勢され、払い出されるメダルＭによる押圧力により開放される。
【００３７】
この扉部５８ａは、ほぼ長方形状を有し、その長辺近傍にある回転軸を中心に回転可能に支持され、図示しないバネ等により通常閉鎖状態に付勢されている。シャッタ機構５８は、外部から強制的に開放された場合、アーム部材５３の可動範囲を制限する可動範囲制限部を有する。可動範囲制限部の具体的な構成および作用については後述する。
【００３８】
機能ボックス５０の内部構成の細部については図４（ｂ）（ｃ）によりさらに説明する。
【００３９】
可動ガイドローラ５３ｄは、一端を回転軸基部５３ｂの回転軸５３ａで回転可能に支持されたアーム部材５３の自由端に円柱支持部５３ｃを介してその頂部に回転可能に支持されている。回転軸基部５３ｂにはアーム部材５３の突出方向とほぼ逆の方向に突出したフラグ部５４が結合されている。フラグ部５４は、その先端部に、直角に屈曲した遮光部５４ａを有している。この遮光部５４ａは、第１および第２のセンサ部５６，５７としてのフォトカプラの発光部と受光部の間の空間で発光部から受光部への光を遮る働きをする。
【００４０】
なお、可動ガイドローラ５３ｄの往復動作を計数することにより、メダルＭの払出個数を計数することができる。可動ガイドローラ５３ｄの往復動作は、第１および第２のセンサ部５６，５７の出力に基づいて検出することが可能である。勿論、可動ガイドローラ５３ｄ（またはアーム部材５３）の往復動作を検出する他の検出手段を設けてもよい。
【００４１】
アーム部材５３は、その第１の位置と第２の位置との間の往復動に連動して往復動するアーム連動部としての爪部５５を有する。爪部５５は回転軸基部５３ｂから、アーム部材５３とフラグ部５４の中間の方向に突出している。この例では、爪部５５の基部にコイルバネ５９の一端を接続するためのコイルバネ結合部５９ａとしての突起部を設けている。コイルバネ５９の他端は筐体５１の内部に固定される。第１および第２のセンサ部５６，５７および爪部５５の働きについては後述する。
【００４２】
メダルＭにより押されてアーム部材５３が第２の位置へ移動したとき、爪部５５がシャッタ連動ストッパ部５８ｃの可動範囲を制限することにより、扉部５８ａの開放動作を阻止する。すなわち、扉部５８ａを閉鎖状態にロックする。
【００４３】
（通常の払出動作）
図４から図６は、このコイン状部材払出装置１００におけるメダルＭの通常の払出動作を説明するための図である。
【００４４】
図４（ａ）にコイン状部材払出装置１００の概略の平面図を示す。ロータ３０のメダル収容開口に収容されたメダルＭはロータ３０の回転に伴って、遠心力の働きと相俟って押出壁３３により押されて、凹部４６の周壁に沿って回転し、メダル通路４３の手前でメダルガイド部４４の側壁に案内されて、可動ガイドローラ５３ｄに当接する。この時点でメダル通路４３におけるメダルガイド部４４の端部と待機位置にある可動ガイドローラ５３ｄとの間の距離はメダルＭの直径より小さい。しかし、コイルバネ５９の付勢力（引っ張り力）に抗してメダルＭが押出壁３３により矢印の方向に押されることにより、可動ガイドローラ５３ｄが円弧状透孔５２ａに沿って移動する。但し、この円弧状透孔５２ａは可動ガイドローラ５３ｄの移動経路を案内するものではなく、移動の開始点と終了点を定めるためのものである。可動ガイドローラ５３ｄが付勢力に抗して移動することによって実質的なメダル通路が広がり、メダルＭは払出口２２へ向かって移動することができる。メダルＭがアーム部材５３を最大限に拡げた後は、アーム部材５３に作用するコイルバネ５９の復帰力によりメダルＭが払出口２２の方向へ強く押されるため、メダルＭはシャッタ機構５８の扉部５８ａを押し開いて外部へ飛び出す。
【００４５】
このように、図３に示した構成のうち、特に、ロータ３０、メダル通路部材４０、モータ６０、アーム部材５３が、本発明におけるメダルＭを貯蔵した貯蔵容器であるバケット１０内の複数のメダルＭを順次払出口２２へ移動させる移動機構を構成する。このような移動機構の構成および作用は既知であり、本発明はその具体的な構成を特に限定するものではなく、既存の任意の移動機構を利用することができる。
【００４６】
図４（ｂ）（ｃ）に示すように、第１のセンサ部５６がフラグ部５４により遮光されるとき（すなわち発光部から受光部への光が遮断されるとき）、アーム部材５３は第１の位置、すなわち待機位置にある。これは、メダルＭが可動ガイドローラ５３ｄに当接する前の段階から当接するまでの状態（図４（ｂ））、および、可動ガイドローラ５３ｄを押し拡げた後、その復帰力でメダルＭがシャッタ機構５８の扉部５８ａを押して扉部５８ａを開きつつ、可動ガイドローラ５３ｄ（ひいてはアーム部材５３）が待機位置に戻った状態（図４（ｃ））に相当する。アーム部材５３が第１の位置にあるときには、爪部５５がシャッタ連動ストッパ部５８ｃの切欠部５８ｄに位置しているので、扉部５８ａは支障なく開くことができる。
【００４７】
図５は、可動ガイドローラ５３ｄがメダルＭによりコイルバネ５９の付勢力に抗して最大限に押し拡げられた状態を示している。このとき、図５（ｂ）に示すように、アーム部材５３は第２の位置あり、第２のセンサ部５７がフラグ部５４により遮光される。このときの爪部５５はアーム部材５３と連動し、その可動範囲内で時計方向に最大限に振れている。また、扉部５８ａは閉鎖状態（垂直状態）にあり、シャッタ連動ストッパ部５８ｃは水平状態にある。よって、シャッタ連動ストッパ部５８ｃは爪部５５の動きに干渉しない。しかし、この状態で扉部５８ａは開こうとしても開かない（すなわちシャッタ機構５８はロック状態にある）。
【００４８】
図６（ａ）（ｂ）は、図５の状態からアーム部材５３が第２の位置から第１の位置へ戻る中間位置にあり、メダルＭが払出口２２の方向へ若干移動した状態である。この時点ではメダルＭはまだシャッタ機構５８の扉部の内壁に達していない。ただし、爪部５５はシャッタ連動ストッパ部５８ｃの切欠部５８ｄの領域に戻っており、シャッタ機構５８のロック状態は解除されている。したがって、図６（ｃ）のように扉部５８ａはメダルＭにより内側から押されれば開放可能な状態となっている。さらにアーム部材５３が移動して第１の位置へ戻る際に、メダルＭが扉部５８ａを内側から押して開放し、アーム部材５３が第１の位置へ戻るとともにメダルＭは払出口２２から外へ放出される（図４（ｃ））。
【００４９】
（シャッタ機構に対する不正操作時の動作）
本実施形態では、通常払出以外のタイミングで不正操作者によりシャッタ機構の扉部がこじ開けられた場合、アーム部材の可動範囲に制限をかけることにより、メダルの不正な払出を防止する。
【００５０】
図７によりシャッタ機構に対する不正操作時のコイン状部材払出装置の動作を説明する。図７（ａ）は払出口２２から不正操作部材Ｂが差し込まれた状態を示すコイン状部材払出装置１００の平面図、図７（ｂ）（ｃ）は不正操作部材Ｂと機能部の関係を別の角度から見た斜視図、図７（ｄ）はその際の爪部５５とシャッタ機構５８との関係を示す図である。図７（ｂ）（ｃ）では、見易さの観点から便宜上、メダルＭを仮想線で示してある。また、図７（ｄ）ではアーム部材５３の第１の位置と中間位置に対応する爪部５５の位置を実線と仮想線で示してある。
【００５１】
上述したように、アーム部材５３（ひいては可動ガイドローラ５３ｄ）が第２の位置にある状態、すなわち、閉鎖状態のシャッタ機構５８のシャッタ連動ストッパ部５８ｃに爪部５５が乗り上げた状態では、シャッタ機構５８がロックされ、扉部５８ａは開かない。もし、この第２の位置で扉部５８ａがロックされていなければ、不正操作部材Ｂにより扉部５８ａを無理やりこじ開けて、可動ガイドローラ５３ｄの正常な動作を阻害して可動ガイドローラ５３ｄを第２の位置に維持するような不正操作が可能となる。通常、可動ガイドローラ５３ｄの１回の往復動作が１個のメダルＭの払出に相当するので、可動ガイドローラ５３ｄの往復動作を検出することにより、メダルＭの払出個数を計数できる。このような操作により、メダルＭの払出個数の計数動作を妨害し、多数のメダルＭを不正に放出させることが可能となりうる。しかし、第２の位置では扉部５８ａが閉鎖状態にロックされるので、このような事態が生じないことが保証される。
【００５２】
可動ガイドローラ５３ｄが第２の位置にある状態以外の状態では、払出口２２に不正操作部材Ｂを挿入して扉部５８ａを無理やりこじ開ける不正操作が行われる可能性がある。この不正操作は、例えば図７（ａ）に示すように、可動ガイドローラ５３ｄを矢印の方向に強制的に開放させ、メダルＭの払出個数の計数動作を妨害することを狙った行為である。
【００５３】
そこで本実施形態では、シャッタ機構５８において、扉部５８ａの開閉と連動して移動（回転）するシャッタ連動ストッパ部５８ｃを設けている。このシャッタ連動ストッパ部５８ｃは、可動範囲制限部として機能する部位である。扉部５８ａが外部から強制的に開放された場合、往復動部材としてのアーム部材５３がその第１の位置から第２の位置へ移動しようとするとき、シャッタ連動ストッパ部５８ｃがアーム部材５３の移動経路内に進入することによりアーム部材５３の可動範囲を制限する。なお、扉部５８ａが閉鎖状態にあるとき、シャッタ連動ストッパ部５８ｃはアーム部材５３の可動範囲を制限しない。
【００５４】
このような構成により、シャッタ機構５８のロックが解除された状態で扉部５８ａをこじ開けることができたとしても、図７（ｄ）に示すように、通常水平状態にあるシャッタ連動ストッパ部５８ｃが立ち上がるため、爪部５５の移動可能な範囲は切欠部５８ｄの空間内のみに制限される。その結果、可動ガイドローラ５３ｄは外力を受けたとしてもその全開位置（第２の位置）まで開かず、実質的なメダル通路の幅はメダルＭの直径より小さい範囲に限定される。このため、ロータ３０からのメダルＭは図の矢印の方向にメダル通路４３を通過しようとしても通過できない。また、メダルＭが扉部５８ａの内壁に当接する直前にアーム部材５３が第１の位置に復帰する。その状態ではシャッタ連動ストッパ部５８ｃの切欠部５８ｄの存在により、爪部５５が扉部５８ａの回転を阻害することはない。
【００５５】
このような機能によるメダル通路幅の制限は、機械的な動作のみに基づいて行われるので、不正操作部材Ｂがどのようなものであっても、また、不正操作部材が可動ガイドローラ５３ｄに当接したか否かにかかわらず、シャッタ機構５８の扉部５８ａが不正に開放されただけで、直ちにかつ確実に機能する。すなわち、シャッタ機構の扉部が外部から強制的に開放されただけで、直ちにかつ確実にメダルの払出動作が機械的に阻止される。
【００５６】
図８は、第１および第２のセンサ部５６，５７のＯＮ，ＯＦＦと、シャッタ機構５８（扉部５８ａ）の開閉との可能な組み合わせの５通りの状態を表形式にまとめて示した図である。５通りの状態＃１〜＃５は次のとおりである。
【００５７】
状態＃１：  第１のセンサ部５６がＯＮ、かつ、第２のセンサ部５７がＯＦＦ、かつ、シャッタ機構５８（扉部５８ａ）が閉の状態である。この状態はアーム部材５３が第１の位置（待機位置）にあり、図４（ｂ）に示した状態に相当する。
【００５８】
状態＃２：  第１のセンサ部５６がＯＮ、かつ、第２のセンサ部５７がＯＦＦ、かつ、シャッタ機構５８（扉部５８ａ）が開の状態である。この状態はアーム部材５３が第１の位置（待機位置）にあり、図４（ｃ）に示した状態に相当する。
【００５９】
状態＃３：  第１のセンサ部５６がＯＦＦ、かつ、第２のセンサ部５７がＯＮ、かつ、シャッタ機構５８（扉部５８ａ）が閉の状態である。この状態はアーム部材５３が第２の位置（待機位置）にあり、図５（ｂ）に示した状態に相当する。この状態ではシャッタ機構５８は閉鎖されたままのロック状態にある。
【００６０】
状態＃４：  第１のセンサ部５６がＯＦＦ、かつ、第２のセンサ部５７がＯＦＦ、かつ、シャッタ機構５８（扉部５８ａ）が閉の状態である。この状態はアーム部材５３が第１の位置と第２の位置の中間の位置（中間位置）にあり、図６（ｂ）に示した状態に相当する。
【００６１】
状態＃５：  第１のセンサ部５６がＯＦＦ、かつ、第２のセンサ部５７がＯＦＦ、かつ、シャッタ機構５８（扉部５８ａ）が開の状態である。この状態はアーム部材５３が第１の位置と第２の位置の中間の位置（中間位置）にあり、図６（ｃ）または図７に示した状態に相当する。この状態ではアーム部材５３の可動範囲が制限され、全開となることが阻止される。
【００６２】
（第１の実施形態の変形例）
以上説明した実施形態におけるアーム部材５３、シャッタ機構５８、センサ部５６，５７の各部の形状や作用については種々の変形、変更を行うことが可能である。
【００６３】
図９（ａ）〜（ｃ）および図１０（ａ）（ｂ）は、機能部の変形例と、その正常動作時の状態遷移を示している。
【００６４】
この変形例における往復動部材であるアーム部材８３は、アーム回転軸８３ａから放射状にそれぞれ３方向へ突出したフラグ部８４と、アーム連動部としてのレバー部８５、およびコイルバネ結合部８９を有する。コイルバネは図示省略してある。その付勢力の方向は第１の実施形態と逆方向であるが、アーム部材８３を待機位置へ向けてバネ付勢する点は同じである。第１の実施形態と異なり、メダルＭを保持したロータは反時計方向に回転する。第１および第２のセンサ部９４，９５は配置位置が逆転している。第１の実施形態のフラグ部５４は先端を直角に折り曲げ、センサ部５６，５７の発光部と受光部の間の空間は垂直方向に向いたが、この変形例のフラグ部８４は先端を折り曲げることなく水平に伸びており、センサ部９４，９５の発光部と受光部の間の空間も水平方向を向いている。
【００６５】
第１の実施形態と同様、アーム部材８３の先端の可動ガイドローラ８３ｄは上記メダル通路部材４０に相当する部品の円弧状の透孔４２ａ（図では仮想線で示す）を貫通して、その上部へ露出する。
【００６６】
シャッタ機構７８は第１の実施形態と同様、その扉部が払出口２２を覆うように配置される。この扉部は、ほぼ長方形状を有し、その長辺近傍にある回転軸を中心に回転可能に支持される。図９（ａ）に示すように、アーム部材８３が第１の位置にある待機状態では、払出口２２を通常閉鎖するようにバネ付勢されている。
【００６７】
図９（ｂ）に示すように、払い出されるメダルＭにより可動ガイドローラ８３ｄが押し拡げられる。次いで、図９（ｃ）のように、メダルＭにより可動ガイドローラ８３ｄが第２の位置まで最大限押し拡げられたあと、図１０（ａ）に示すように、アーム部材８３の付勢力により払出口の方向へ押し出されたメダルＭが扉部７８ａを内側から押すことにより、扉部７８ａは当該付勢力に抗して開放され、図１０（ｂ）に示すように、メダルＭは払出口から外部へ放出される。
【００６８】
シャッタ機構７８は、外部から強制的に開放された場合、扉部の開閉と連動して移動するシャッタ連動ストッパ部７８ｃを有する。このシャッタ連動ストッパ部７８ｃは、往復動部材としてのアーム部材８３の可動範囲を制限する可動範囲制限部として機能する。すなわち、扉部が閉鎖状態にあるとき、アーム部材８３の可動範囲を制限せず、扉部が外部から強制的に開放された場合、アーム部材８３がその第１の位置から第２の位置へ移動しようとするとき、シャッタ連動ストッパ部７８ｃがアーム部材８３の移動経路内に進入することによりアーム部材８３の可動範囲を制限する。
【００６９】
このような構成により、図１１（ａ）（ｂ）に示すように、シャッタ機構７８のロックが解除された状態で扉部７８ａを無理やりこじ開けることができたとしても、通常水平状態にあるシャッタ連動ストッパ部７８ｃが立ち上がるため、アーム連動部としてのレバー部８５の移動可動範囲は、シャッタ連動ストッパ部７８ｃに阻害されない空間内のみに制限される。その結果、可動ガイドローラ８３ｄは外力を受けたとしてもその全開位置（第２の位置）まで開かず、実質的なメダル通路の幅はメダルＭの直径より小さい範囲に限定される。その結果、ロータ３０からのメダルＭは図の矢印の方向にメダル通路を通過しようとしても通過できない。
【００７０】
（第２の実施形態）
図１２〜図１４により本発明の第２の実施形態について説明する。
【００７１】
図１２（ａ１）（ａ２）（ｂ１）（ｂ２）および図１３（ａ１）（ａ２）（ｂ１）（ｂ２）は、第２の実施形態によるコイン状部材払出装置の通常動作時の時系列の平面図と、それらに対応する状態の機能部の斜視図を示す。機能ボックスは図示省略してある。
【００７２】
図１２（ａ１）（ａ２）はアーム部材７３（ひいては可動ガイドローラ７３ｄ）が第１の位置、すなわち待機位置にある状態を示している。図１２（ａ１）から分るように、コイン状部材払出装置は、第１の実施形態と同様、時計方向に回転するロータ３０から、メダルガイド部４４ａに対向する可動ガイドローラ７３ｄを押し拡げてメダルＭを一つずつ払出口２２から放出する。
【００７３】
図１２（ａ２）に示すように、本実施形態の機能部は、往復動部材としてのアーム部材７３およびシャッタ機構７８を有する。
【００７４】
アーム部材７３は、回転軸７３ａからほぼ半円状に広がった円盤状部の周縁近傍に直立した円筒状支持部７３ｃを介して可動ガイドローラ７３ｄを支持している。また、半円状の円盤状部の一端から放射方向にアーム連動部としてのレバー部７５が突出している。さらに、回転軸７３ａから可動ガイドローラ７３ｄともレバー部７５とも異なる放射方向にバネ結合部７９が突出している。このバネ結合部７９に結合された図示しないコイルバネは回転軸７３ａを中心として可動ガイドローラ７３ｄを反時計方向に回転するように付勢し、アーム部材７３を通常第１の位置（待機位置）に維持する。
【００７５】
第２の実施形態におけるシャッタ機構７８は、第１の実施形態と異なり、その扉部７８ａは、機能ボックス内で一端を回転軸７８ｂに支持されたシャッタアーム部材７８ｄの他端側に連結され、シャッタアーム部材７８ｄの上下方向の移動（揺動）により、払出口２２を開閉する。シャッタアーム部材７８ｄはその扉部７８ａを通常閉鎖状態に維持するように（図の例では鉛直上方向に）、図示しないバネ等により付勢されている。
【００７６】
扉部７８ａのメダルＭが当接する内壁は、メダルＭにより外方へ押圧されたとき、扉部７８ａが当該付勢力に抗して開放されるようテーバー付けられている（すなわち傾斜案内面が形成されている）。
【００７７】
アーム連動部材としてのレバー部７５は、アーム部材７３の第１の位置と第２の位置との間の往復動に連動して往復動する。シャッタ機構７８は、扉部７８ａの開閉と連動して移動（揺動）するシャッタ連動ストッパ部７８ｃを有する。シャッタ連動ストッパ部７８ｃはレバー部７５の可動範囲制限部として機能する。このシャッタ連動ストッパ部７８ｃは、扉部７８ａが開放状態にあるとき、レバー部７５の可動範囲を制限し、扉部７８ａが閉鎖状態にあるときはレバー部７５の可動範囲を制限しない。
【００７８】
図１２（ｂ１）（ｂ２）は、アーム部材７３（ひいては可動ガイドローラ７３ｄ）が第２の位置、すなわちメダルＭにより最大限に押し拡げられた位置にある状態を示している。このとき、図１２（ｂ１）に示すように、レバー部７５がシャッタ連動ストッパ部７８ｃの下側に侵入し、シャッタアーム部材７８ｄの可動範囲（移動範囲）を制限することにより、扉部７８ａの開放動作を阻止する。すなわち、シャッタ機構７８がロックされる。
【００７９】
図１３（ａ１）（ａ２）は、可動ガイドローラ７３ｄがメダルＭにより第２の位置まで最大限に押し拡げられた後、第２の位置から中間位置まで戻った状態を示している。このとき、レバー部７５がシャッタ連動ストッパ部７８ｃの下側から離脱し、シャッタアーム部材７８ｄの可動範囲の制限が解除される。すなわち、シャッタ機構７８のロック状態が解除される。
【００８０】
図１３（ｂ１）（ｂ２）は、次いで、可動ガイドローラ７３ｄがメダルＭをシャッタ機構７８から外部へ放出し、アーム部材７３（可動ガイドローラ７３ｄ）が第１の位置まで復帰した状態を示している。
【００８１】
図１４（ａ１）〜（ａ３）、（ｂ１）〜（ｂ３）、（ｃ１）〜（ｃ３）は、それぞれ、第２の実施形態によるコイン状部材払出装置の不正操作時の時系列の平面図と、それらに対応する状態の機能部の斜視図、およびコイン状部材払出装置の概略のＡ−Ａ断面図を示す。
【００８２】
図１４（ａ１）〜（ａ３）の状態から、図１４（ｂ１）〜（ｂ３）に示すように扉部７８ａが外部から不正操作部材Ｂ等により強制的に開放された場合、シャッタ連動ストッパ部７８ｃがレバー部７５の移動経路内へ進入することにより、アーム部材７３がその第１の位置から第２の位置へ移動しようとするときその中間の位置で、シャッタ連動ストッパ部７８ｃがアーム部材７３のそれ以上の移動を阻止する。このとき、図１４（ｃ１）に示すように、メダルガイド部４４ａと、可動ガイドローラ７３ｄとの間隔がメダルＭの直径より小さい幅に制限されるため、メダルＭがメダル通路を通過することが阻止される。
【００８３】
このように第１の実施形態と同様、第２の実施形態においても、シャッタ機構の扉部が外部から強制的に開放されただけで、直ちにかつ確実にメダルの払出動作が機械的に阻止される。なお、第２の実施形態ではアーム部材７３の位置検出手段について明示しなかったが、上記のとおり、第１および第２のセンサ部のような、第１の位置および第２の位置を検出するための手段を設けることが可能である。
【００８４】
（制御装置の構成）
上述したように、第１および第２の実施形態に係るコイン状部材払出装置によれば、その機械的な構造により、シャッタ機構の不正な開放（こじ開け等）による不正なメダルＭの払出を直ちに確実に防止することができる。しかし、そのような不正な行為が行われた場合には、その行為を遊技機の管理者側で迅速に認識する必要がある。また、メダルＭの払出動作を行うロータの回転が継続されている期間中に、このような機械的な払出動作の阻止が行われると、ロータを回転駆動するモータに過負荷が掛かり、モータの故障の原因にもなる。そこで、シャッタ機構の不正な開放により強制的にメダルの払出動作が阻止されたときには、このことを迅速に検出できることが望ましい。
【００８５】
本実施形態では、上記第１および第２のセンサ部５６，５７の出力と、モータ６０の電流値を監視することにより、専用の検出手段を設けることなく、不正操作を検出しようとするものである。
【００８６】
図１５は、第１および第２の実施形態におけるコイン状部材払出装置に用いることができる制御装置の概略構成を示すブロック図である。
【００８７】
この制御装置は、第１および第２のセンサ部５６，５７と、制御部２００と、モータ駆動部２１０と、モータ６０と、報知信号発生部２２０とにより構成される。
【００８８】
制御部２００は、メダル払出要求によって払い出すメダルの個数に応じて、モータ駆動部２１０を介してモータ６０を回転駆動する。制御部２００は、モータ６０の駆動時のモータ電流値２１１を監視する。制御部２００は、モータ電流値２１１として所定の値を超える過電流値を検出した場合、モータ６０が回転駆動されているにも関わらず回転が停止している（または回転が困難な状態にある）と判断できる。
【００８９】
他方で、制御部２００は、アーム部材（ひいては可動ガイド部材）の位置検出手段としての第１および第２のセンサ部５６，５７の出力に基づいて、アーム部材の現在の位置を検出する。もし、第１および第２のセンサ部５６，５７の出力に基づいて、アーム部材の現在の位置が第１の位置と第２の位置の中間位置にあると判断された場合、このような状態は図７等で説明したように、シャッタ機構の不正な開放によりアーム部材（可動ガイドローラ）が第２の位置へ移動しようとしてもその中間位置で阻止されたことによりメダルがメダル通路部で詰まったためにモータが回転できなくなった状態に相当する。制御部２００は、このような状態を不正操作の発生と認識し、報知信号発生部２２０に対して報知信号（アラーム）発生を指示する。この報知信号は、遊技場の管理者に対して不正操作の発生を報知するための信号であり、例えば、音、光、メッセージ等、任意の媒体で実現することができる。報知の場所は、不正が行われている遊技機、および／または、集中管理部等である。集中管理部へは有線または無線による通信媒体を介して通知することができる。
【００９０】
（制御装置の実行する処理）
図１６は、図１５に示した制御部２００の実行するコンピュータプログラムにより実現される処理の概略手順を表したフローチャートである。
【００９１】
制御部２００は、遊技機からのメダル払出要求の発生時に（Ｓ１０）、モータ駆動部２１０に対して、当該メダル払出要求に応じた駆動指示を出力する（Ｓ１１）。
【００９２】
そこで、モータ駆動部２１０により駆動されるモータ６０のモータ電流を監視し、モータ電流値Ｉが予め定めた閾値電流値Ｉｓを超えたかどうかを判定する（Ｓ１２）。Ｉ＞Ｉｓでなければ、モータ駆動が継続しているかどうかを判断し（Ｓ１３）、継続していれば、ステップＳ１２へ戻る。その間に、Ｉ＞Ｉｓでなくなれば、ステップＳ１３へ移行する。
【００９３】
ステップＳ１２でＩ＞Ｉｓであると判定されたとき、その状態が所定時間経過したかを判定する（Ｓ１４）。所定時間経過するまでステップＳ１２に戻り、Ｉ＞Ｉｓの状態が継続しているかをチェックする。一時的にモータに過負荷が掛かってＩ＞Ｉｓとなっても短時間で正常な状態に復帰した場合に異常または不正操作の判定を行わないようにするためである。
【００９４】
Ｉ＞Ｉｓの状態が所定時間継続した場合、モータへの駆動指示がありながら何らかの原因でモータが正常回転困難な状態となっていると判断し、モータ駆動部２１０へモータ駆動停止を指示する（Ｓ１５）。さらに、報知信号発生部２２０に第１の報知信号の発生を指示する（Ｓ１６）。これは、例えば遊技場の管理者に対して、当該コイン状部材払出装置のモータが正常回転困難な状態となっていること、および、何らかの対応措置が必要であることを報知するための動作である。
【００９５】
次いで、第１のセンサ部がＯＦＦかどうかを確認する（Ｓ１７）。ＯＦＦでなければ、ステップＳ１０へ戻る。ＯＦＦであれば、第２のセンサ部がＯＦＦかどうかを確認する（Ｓ１８）。第２のセンサ部がＯＦＦでなければ、ステップＳ１０へ戻る。ＯＦＦであれば、第１および第２のセンサ部がともにＯＦＦであるので、アーム部材（ひいては可動ガイドローラ）が第１の位置と第２の位置の中間位置にあると判断する。
【００９６】
コイン状部材払出装置の通常の動作においても第１および第２のセンサ部が同時に一時的にＯＦＦとなる状態は繰り返し発生するが、モータが正常回転困難な状態が発生した状態で第１および第２のセンサ部が同時にＯＦＦとなっていれば、不正操作等に起因して意図せず外部からシャッタ機構が開放されたことにより、アーム部材の可動範囲が制限され、これにより、メダル通路で払出対象のメダルが進行阻止されている可能性が高い。
【００９７】
そこで、制御部２００は、報知信号発生部２２０に対して、第２の報知信号の発生を指示する（Ｓ１９）。この第２の報知信号は不正操作が発生した蓋然性が高いことを管理者等へ報知するためのものである。第２の報知信号の報知先および形態は第１の報知信号のそれらと異なってもよい。例えば、第１の報知信号の報知先は管理者のみとし、第２の報知信号の報知先は管理者のみならず遊技者も対象としてよい。第１の報知信号の発生は不正操作が原因とは限らず、装置部品等の故障が原因である可能性があるのに対して、第２の報知信号の発生は不正操作が原因である可能性が高いと考えられるからである。第１の報知信号は異常状態の発生を知らしめることができれば足りるが、第２の報知信号は不正操作を直ちに止めさせるために、警報音の発生や、遊技機のランプや照明等の点滅等、通常と異なる出力形態とすることができる。
【００９８】
以上、本発明の好適な実施形態について説明したが、上記で言及した以外にも種々の変形、変更を行うことが可能である。例えば、アーム部材やシャッタ機構、移動機構の各部の形状や構造は図示した具体的な形状や構造に限定されるものではない。バネの種類としてコイルバネを示したが、他の種類のバネであってもよいし、バネ以外の弾性部材を利用することも可能である。センサ部としては光学式のものを示したが、磁気センサ等の他の位置検出手段であってもよい。駆動手段はモータを例としたが、必ずしもモータに限るものではない。
【符号の説明】
【００９９】
１０：バケット（またはホッパ）  １３：オーバーフロー通路  １５：円形開口  ２０：払出装置本体部  ２１：筐体  ２２：払出口  ３０：ロータ  ３２：開口  ３３：押出壁  ４０：メダル通路部材  ４２：透孔  ４２ａ：透孔  ４３：メダル通路  ４４：メダルガイド部  ４４ａ：メダルガイド部  ４５：シャフト孔  ４６：凹部  ５０：機能ボックス  ５１：筐体  ５１ａ：切欠部  ５２：カバー部  ５２ａ：透孔  ５２ｂ：切欠部  ５３：アーム部材  ５３ａ：回転軸  ５３ｂ：回転軸基部  ５３ｃ：円柱支持部  ５３ｄ：可動ガイドローラ  ５４：フラグ部  ５４ａ：遮光部  ５５：爪部（アーム連動部）  ５６，５７：センサ部  ５８：シャッタ機構  ５８ａ：扉部  ５８ｃ：シャッタ連動ストッパ部（可動範囲制限部）  ５８ｄ：切欠部  ５９：コイルバネ  ５９ａ：コイルバネ結合部（突起部）  ６０：モータ  ６１：シャフト  ７３：アーム部材  ７３ａ：回転軸  ７３ｃ：円筒状支持部  ７３ｄ：可動ガイドローラ  ７５：レバー部（アーム連動部）  ７８：シャッタ機構  ７８ａ：扉部  ７８ｂ：回転軸  ７８ｃ：シャッタ連動ストッパ部（可動範囲制限部）  ７８ｄ：シャッタアーム部材  ７９：バネ結合部  ８３：アーム部材  ８３ａ：アーム回転軸  ８３ｄ：可動ガイドローラ  ８４：フラグ部  ８５：レバー部（アーム連動部）  ８９：コイルバネ結合部  ９４，９５：第１および第２のセンサ部  １００：コイン状部材払出装置  ２００：制御部  ２１０：モータ駆動部  ２１１：モータ電流値  ２２０：報知信号発生部  Ｉ：モータ電流値  Ｉｓ：閾値電流値  Ｍ：メダル（コイン状部材）
【図１】
2018055592.tif 000003
【図２】
2018055592.tif 000004
【図３】
2018055592.tif 000005
【図４】
2018055592.tif 000006
【図５】
2018055592.tif 000007
【図６】
2018055592.tif 000008
【図７】
2018055592.tif 000009
【図８】
2018055592.tif 000010
【図９】
2018055592.tif 000011
【図１０】
2018055592.tif 000012
【図１１】
2018055592.tif 000013
【図１２】
2018055592.tif 000014
【図１３】
2018055592.tif 000015
【図１４】
2018055592.tif 000016
【図１５】
2018055592.tif 000017
【図１６】
2018055592.tif 000018